(57)【要約】【課題】二次元エリアセンサを内包するＸ線撮影用電子カセッテにおいて、使用目的に適した構成を提供する。【解決手段】カセッテ筐体の表面と側面周囲を囲う形状の着脱可能なフレームに衝撃吸収用の弾性体を設けて、カセッテ単独で使用される場合はフレームを付けた状態で固定される。フレームは他にＸ線散乱線除去用のグリッドと筐体後方からのＸ線成分を除去するＸ線遮蔽部材を着脱可能に装着する。【選択図】        図２
2005006806.tif 000002
【特許請求の範囲】
【請求項１】
Ｘ線発生手段により発せられたＸ線を被写体に照射し、該被写体を透過したＸ線を、二次元に複数の光電変換素子を配置された検出面を有するＸ線検出手段に検出し、該検出手段から出力される画像信号をデジタル画像処理する画像処理手段によりモニターに前記被写体のＸ線画像を得るＸ線撮影装置において、
該Ｘ線撮影装置は前記検出面を内包する筐体を有し、さらに該筐体をＸ線入射方向から見て表面と側面周囲を囲う形状で前記筐体を保持するフレームを有し、該フレームは前記筐体と着脱する機構を有し、且つＸ線入射方向から見て前記フレームの表面と側面に衝撃吸収作用のある弾性部材が設けられていることを特徴とするＸ線撮影装置。
【請求項２】
前記フレームの表面に設けられた前記弾性部材は、Ｘ線透過率の高い構造を成すことを特徴とする請求項１に記載のＸ線撮影装置。
【請求項３】
前記フレームの表面に設けられた前記弾性部材は、ポリウレタンやシリコンの発泡材であることを特徴とする請求項２に記載のＸ線撮影装置。
【請求項４】
前記フレームの側面に設けられた前記弾性部材は、少なくとも外観面の摩擦抵抗が低いことを特徴とする請求項１ないし３いずれかに記載のＸ線撮影装置。
【請求項５】
前記フレームは、Ｘ線散乱線除去用のグリッドを着脱する機構を有することを特徴とする請求項１ないし４いずれかに記載のＸ線撮影装置。
【請求項６】
前記フレームは、前記筐体を手持ちで移動する際に使用する把手の形状を有することを特徴とする請求項１ないし５いずれかに記載のＸ線撮影装置。
【請求項７】
前記フレームは、Ｘ線入射方向から見て裏側に、Ｘ線透過率の低いＸ線遮蔽部材を着脱する機構を有することを特徴とする請求項１ないし６いずれかに記載のＸ線撮影装置。
【発明の詳細な説明】
【０００１】
【発明の属する技術分野】
本発明は、医療診断用のＸ線撮影装置、特にＸ線の受光媒体として二次元に複数の光電変換素子が同一面上に配列されたエリアセンサを有する撮影装置に関するものである。
【０００２】
【従来の技術】
被写体に放射線を照射し、被写体を透過した放射線の強度分布を検出し、被写体の放射線画像を得る方法は、工業用の非破壊検査や医療診断の場で広く一般に利用されている。被写体の放射線画像を得るための一般的方法の具体例は、放射線で蛍光を発するいわゆる“蛍光板”（もしくは増感紙）と銀塩フィルムを組み合わせ、Ｘ線を被写体に照射し、透過した放射線を蛍光板で可視光に変換し、銀塩フィルム上に潜像を形成した後、この銀塩フィルムを化学処理し、可視像を得る方法である。この方法で得られた放射線画像はアナログ写真であり、診断、検査等に使用される。
【０００３】
一方、最近では受像手段として、微小な光電変換素子、スイッチング素子等からなる画素を格子状に配列した２次元アレーセンサを使用し、デジタル画像を取得する技術が開発されている。これらの撮影装置は取得した画像データを即時に表示することが可能であり、直接型Ｘ線デジタル撮影装置と呼べる。Ｘ線デジタル撮影装置のアナログ写真技術に対する利点として、フィルムレス化、画像処理による取得情報の拡大、データベース化等が挙げられる。
【０００４】
ところで、医療静止画用のＸ線撮影装置は、被写体となる患者の撮影手法に応じて、可搬型と据置型に分別される。可搬型は、カセッテと呼ばれる筐体にフィルムや二次元アレーセンサを内包したもので、被写体である患者の体の状態が悪く、病棟のベッドからＸ線撮影室のスタンドやテーブルへ移動できない場合や、撮影手法が特殊で、据置型で撮影できない場合等に使用される。前者の場合は、操作者が患者の入院している病棟までカセッテと可搬型のＸ線撮影装置を運んで、病棟で撮影を行う。一方、据置型の一例としては、スタンドやテーブルにフィルム、又は二次元アレーサンサを内包するカセッテや据置型の筐体を構成し、Ｘ線を照射して患者の胸部や腹部画像等を取得する。ここでカセッテとは、可搬性や操作性を考慮して極力小型化、軽量化された筐体のことで、単独での撮影や、スタンドやテーブルに挿入した状態での撮影など、汎用性の高い使用方法が可能である。しかし二次元アレーサンサをカセッテ内に内包した場合（以下電子カセッテと称す）は、内部の構成要素が多く、患者のＸ線透過像をデジタル画像データとして出力するまでには、Ｘ線画像を受光する２次元アレーセンサ、Ｘ線発生装置から発信される制御信号に応じてセンサを駆動するドライブ回路、ドライブ回路によりセンサ内マトリックスを選択し各マトリクスのデータを増幅するアンプ、アンプからの出力をデジタルに変換するＡＤ回路、ＡＤ回路とドライブ回路で順次デジタル化された画像データをシリアライズする回路を必要とする。そのためフィルムカセッテに比べて電子カセッテは小型化や軽量化が困難である。
【０００５】
図７は上述の電子カセッテの構成を表した断面図である。
【０００６】
電子カセッテの筐体２００内には、Ｘ線を可視化する蛍光板７と、可視光を電気信号に変換する二次元に格子状に配列された光電変換素子８と、蛍光板７、及び光電変換素子８をＸ線入射側から見て裏面より支持するガラス板９と、さらにガラス板を支持する基台１０と、光電変換素子８からの電気信号をフラットケーブル１１を介してＡＤ変換する電気回路基板１２が構成されている。図示していないが電気回路基板１２上には、光電変換素子８によって電子化された画像情報をデジタル画像データとして形成して画像処理部に送る回路構成が実装されている。電気回路基板１２への電源投入はケーブル１３を介して電源部１４から送られる。
【０００７】
Ｘ線入射方向から見て筐体２００の側面は、空洞３２を伴う二重壁の構造を成し、さらに筐体２００周囲に弾性部材３３を配して、筐体２００に外部より衝撃が生じた場合に、筐体２００内部の構成要素に極力被害が及ばないようにしている。またＸ線が光電変換素子８に入射する領域にある筐体２００の表面は、Ｘ線透過率の高いカーボン板３４と、表面からの衝撃を吸収する弾性部材３５が構成されている。筐体２００側面周囲の弾性部材３３と筐体２００表面に構成された弾性部材３５は、筐体２００が床面に落下した場合や衝撃を受けた際に、筐体２００内部の構成要素を保護する目的で設けられている。このように電子カセッテでは、内部の構成要素を保護するために、フィルムカセッテと比べて周囲の構造が複雑化しており、電子カセッテ筐体の大きさや重量が増す傾向にある。
【０００８】
一方、従来では引き出し式の筐体を有するものがある（例えば、特許文献１、２参照。）。
【０００９】
図８は、上述の２次元アレーセンサを使用した電子カセッテを、可搬型のＸ線発生装置と共に病棟へ運んで撮影した場合の概要図である。
【００１０】
Ｘ線発生装置の高圧電源部３６より電源供給されたＸ線管球３７から発せられたＸ線は、被写体Ｐに照射され、被写体Ｐを透過したＸ線像が被写体Ｐとベッド３８との間に配置された電子カセッテの筐体２００に到達する。そしてＸ線像は、筐体２００内部の蛍光板７で可視化され、さらに可視領域に変換効率を有する二次元に配列された光電変換素子８によって電子化される。電子化された画像情報は上述した回路構成を経てデジタル化され、画像処理部３９によってデジタル画像データとして形成される。形成された画像はモニター４０に表示される。また、デジタル化された画像データは既存のデジタルストレージ機器４１に保存可能である。
【００１１】
一方、図９は、図７の電子カセッテ筐体が据置型のスタンドに挿入された状態で撮影した場合の概要図である。
【００１２】
従来では電子カセッテ筐体をスタンドに挿入することにより、スタンドを介して電子カセッテ筐体へ電力供給を行ったり、電子カセッテを駆動可能にするものがある（例えば、特許文献３参照。）。
【００１３】
スタンド４２に取り付けられたケース４３には、Ｘ線入射方向側の表面に撮影可能領域を示す枠４４と、撮影中心を示す十字線４５が表示されている。ケース４３は筐体２００を着脱可能に構成し、筐体２００を構成した時に、丁度筐体２００内の光電変換素子８の撮影領域と枠４４の範囲が一致する。また二次元に配列された光電変換素子８の撮影領域中心と十字線４５の中心も一致する。操作者は、筐体２００がケース４３内にある時、枠４４と十字線４５を基準に据置型Ｘ線発生装置のＸ線管球４６の位置を調整する。
【００１４】
図１０は電子カセッテ筐体をケース内に挿入した時の断面図である。
【００１５】
Ｘ線入射方向から見て、ケース４３内には、被写体のＸ線散乱成分を除去するグリッド４７、Ｘ線露出量検知板４８、筐体２００が構成されている。グリッド４７は、撮影画像のコントラストを落とす要因となる被写体のＸ線散乱成分を除去する目的で構成されており、グリッド４７内部はＸ線透過率の高い物質と低い膜状の物質が交互に配列されている。Ｘ線露出量検知板４８は、照射されたＸ線量を検出して、それをＸ線発生装置に伝達し、Ｘ線発生装置側は任意に定めた一定量に達するとＸ線照射を停止する。被写体に余分なＸ線量を照射させないための安全装置の役目と、光電変換素子の電荷量の飽和を防ぐ役目を成す。図９のＸ線管球４６から発せられたＸ線は、被写体Ｐに照射され、被写体Ｐを透過したＸ線像がグリッド４７とＸ線露出量検知板４８を介して筐体２００に到達する。その後の画像データ形成のプロセスは上述と同様である。
【００１６】
このように電子カセッテは、図８のように筐体単独で使用される場合と、図９，１０のように据置型のスタンドに挿入された状態で使用される場合がある。後者の場合、被写体の胸部や腹部を撮影することが多く、そのためフィルムサイズにおける半切や大角など、比較的面積の広い撮影可能領域を有する電子カセッテが使用される。
【００１７】
【特許文献１】
特開２００２−１４３１３８号公報（第２図）
【特許文献２】
特開２００２−３１１５２７号公報（第２図）
【特許文献３】
特開２０００−３４７３３０号公報（第１２図，第１３図）
【００１８】
【発明が解決しようとしている課題】
しかしながら上述の電子カセッテでは、以下のような課題がある。
【００１９】
電子カセッテは、フィルムカセッテと比べると高価なため、一個の電子カセッテで様々な用途の撮影に使用される場合が多い、特にフィルムサイズの半切や大角に相当する撮影可能領域を有する電子カセッテでは、撮影手法の幅が広がり、据置型のＸ線撮影装置の代替としても使用される場合がある。ただし上述のように、電子カセッテは内部の構成要素を保護する構成を有するため、フィルムカセッテに対してどうしても大型化、重量増となる傾向がある。したがって電子カセッテを構成する据置型のスタンドやテーブルのケースも大型化しなければならない。しかしケースは、それぞれの撮影に適した大きさ、例えばスタンドの場合は被写体である患者がケースを保持しやすい大きさで設計されている。ケースを大型化すると患者が保持することが困難になり、正しい姿勢での撮影ができなくなる。そもそもケース内の電子カセッテは、筐体単独で使用される場合と異なり、ケースが保護する役目を成すので、この場合弾性部材などの保護目的の構成は不必要である。特に筐体表面に配した弾性部材は、筐体内の蛍光板に到達するＸ線量を減少させるので、その分を補うために照射するＸ線量を増やさなければならず、患者に余分なＸ線量を照射してしまう。しかし電子カセッテ単独使用との共用を考慮すると、弾性部材のような保護目的の構成を外すことは困難である。
【００２０】
本発明は、以上の点に着目して成されたもので、二次元エリアセンサを内包するＸ線撮影用電子カセッテにおいて、使用目的に適した構成を提供するＸ線撮影装置を提供することを目的とする。
【００２１】
【課題を解決するための手段】
上記の問題を解決するための本発明の請求項１に係わるＸ線撮影装置は、二次元の検出面を内包する筐体を有し、さらに筐体をＸ線入射方向から見て表面と側面周囲を囲う形状で筐体を保持するフレームを有し、フレームは筐体と着脱する機構を有し、且つＸ線入射方向から見てフレームの表面と側面に衝撃吸収作用のある弾性部材が設けられていることを特徴とする。
【００２２】
また本発明の請求項２に係わるＸ線撮影装置は、フレームの表面に設けられた弾性部材が、Ｘ線透過率の高い構造を成すことを特徴とする。
【００２３】
また本発明の請求項３に係わるＸ線撮影装置は、フレームの表面に設けられた弾性部材が、ポリウレタンやシリコンの発泡材であることを特徴とする。
【００２４】
また本発明の請求項４に係わるＸ線撮影装置は、フレームの側面に設けられた弾性部材の少なくとも外観面の摩擦抵抗が低いことを特徴とする。
【００２５】
また本発明の請求項５に係わるＸ線撮影装置は、フレームがＸ線散乱線除去用のグリッドを着脱する機構を有することを特徴とする。
【００２６】
また本発明の請求項６に係わるＸ線撮影装置は、フレームが筐体を手持ちで移動する際に使用する把手の形状を有することを特徴とする。
【００２７】
また本発明の請求項７に係わるＸ線撮影装置は、フレームがＸ線入射方向から見て裏側にＸ線透過率の低いＸ線遮蔽部材を着脱する機構を有することを特徴とする。
【００２８】
なお、さらに詳細に説明すれば、本発明は下記の構成によって前記課題を解決できた。
【００２９】
（１）Ｘ線発生手段により発せられたＸ線を被写体に照射し、該被写体を透過したＸ線を、二次元に複数の光電変換素子を配置された検出面を有するＸ線検出手段に検出し、該検出手段から出力される画像信号をデジタル画像処理する画像処理手段によりモニターに前記被写体のＸ線画像を得るＸ線撮影装置において、該Ｘ線撮影装置は前記検出面を内包する筐体を有し、さらに該筐体をＸ線入射方向から見て表面と側面周囲を囲う形状で前記筐体を保持するフレームを有し、該フレームは前記筐体と着脱する機構を有し、且つＸ線入射方向から見て前記フレームの表面と側面に衝撃吸収作用のある弾性部材が設けられていることを特徴とするＸ線撮影装置。
【００３０】
（２）前記フレームの表面に設けられた前記弾性部材は、Ｘ線透過率の高い構造を成すことを特徴とする前記（１）に記載のＸ線撮影装置。
【００３１】
（３）前記フレームの表面に設けられた前記弾性部材は、ポリウレタンやシリコンの発泡材であることを特徴とする前記（２）に記載のＸ線撮影装置。
【００３２】
（４）前記フレームの側面に設けられた前記弾性部材は、少なくとも外観面の摩擦抵抗が低いことを特徴とする前記（１）ないし（３）いずれかに記載のＸ線撮影装置。
【００３３】
（５）前記フレームは、Ｘ線散乱線除去用のグリッドを着脱する機構を有することを特徴とする前記（１）ないし（４）いずれかに記載のＸ線撮影装置。
【００３４】
（６）前記フレームは、前記筐体を手持ちで移動する際に使用する把手の形状を有することを特徴とする前記（１）ないし（５）いずれかに記載のＸ線撮影装置。
【００３５】
（７）前記フレームは、Ｘ線入射方向から見て裏側に、Ｘ線透過率の低いＸ線遮蔽部材を着脱する機構を有することを特徴とする前記（１）ないし（６）いずれかに記載のＸ線撮影装置。
【００３６】
【発明の実施の形態】
請求項に関わる本発明を、図示の実施例に基づいて以下に説明する。
【００３７】
図１は、本発明の請求項１，２，３，４，６に係わる構成を表した概要図である。
【００３８】
電子カセッテ筐体１００は、筐体１００と着脱可能なフレーム１を有している。フレーム１は、筐体１００に取り付けられた状態の時、筐体の表面と側面周囲を覆う形状を成す。また、フレーム１の側面周囲には弾性部材２が構成され、表面には撮影可能範囲を示す枠３と、撮影可能範囲の中心を示す十字線４が設けられている。弾性部材２は、シリコン系のゴムやポリエステルエラストマーなどを原料とし、その中で硬度の低い材質が採用されている。さらに表面はシボ加工や梨地処理が施され、摩擦抵抗が少ない表面仕上げになっている。フレーム１の一辺には、筐体１００を保持するロック機構５が２箇所構成されている。操作者がフレーム１と筐体１００を着脱する時は、このロック機構５を使用する。さらにフレーム１は、手持ちで運ぶ時に使用する把手６が設けられている。
【００３９】
図２は、図１の電子カセッテの断面図である。なお、先に説明した図と同一部分には同一符号を付している。
【００４０】
電子カセッテの筐体１００内には、図７の筐体２００と同様に、Ｘ線を可視化する蛍光板７、二次元に格子状に配列された光電変換素子８、ガラス板９、基台１０、フラットケーブル１１、電気回路基板１２、ケーブル１３、電源部１４が構成されている。各構成要素の動作は図７の場合と同じである。また筐体１００には、フレーム１のロック機構５の可動フック１５と、ロック機構５と反対側の固定フック１６が引っかかる凹部が設けられている。操作者は、フレーム１を筐体１００に取り付ける時は、まずフレーム１の固定フック１６を筐体１００の凹部に引っ掛け、次にロック機構５の可動フック１５を筐体１００の凹部に引っ掛ける。可動フック１５は、ロック機構５により図２の矢印方向に常に力が加わる状態になっており、筐体１００の凹部に引っかかるとフレーム１は筐体１００に固定される。操作者がフレーム１を筐体１００から外す時は、可動フック１５の反対側の端部を押して可動フック１５を筐体１００の凹部から外し、その状態のままフレーム１を筐体１００から分離する。
【００４１】
フレーム１側面に設けられた弾性部材２の内部は空洞１７を伴い、弾性部材２が衝撃を受けた時に変形して衝撃を吸収しやすい構造になっている。またフレーム１の表面には、図１の枠３と十字線４が表示されたカーボン板１８と、弾性部材１９が構成されている。さらに筐体１００表面にはカーボン板２０が構成されている。表面から衝撃を受ける場合は、弾性部材１９が衝撃を吸収する役目を果たす。弾性部材１９は、ポリウレタン系やシリコン系のゴムを原料とし、発泡成形によって製作されている。そのため空気層を多く含み、Ｘ線透過率が高い。このとき内部の気泡の体積はほぼ一定になるように製作すれば、気泡の体積差が濃度むらとなってＸ線像に写りこむことがなくなる。なお、筐体１００のカーボン板２０は、蛍光板７や光電変換素子８を簡易的に保護する目的で設けられており、Ｘ線の透過率を高めるため板厚は薄めにされている。
【００４２】
上述の構成における操作を説明する。
【００４３】
操作者は、電子カセッテ筐体１００を図８のように単独で使用する場合は、フレーム１を筐体１００に取り付けた状態で使用する。このときロック機構５によってフレーム１は筐体１００に固定されている。操作者はフレーム１の把手６を使用して手持ちで移動し、電子カセッテを撮影のために設置する時もフレーム１を取り付けた状態で行う。このような状況で電子カセッテが意図せず落下したり、ベッドや壁に当たってしまっても、弾性部材２，１９が衝撃を和らげ、筐体１００、及び内部の構成要素が保護される。また図８のように、被写体とベッドの間に電子カセッテを挿入する時は、弾性部材２の表面の摩擦抵抗が低いため、表面が滑ってスムースに挿入することができる。
【００４４】
次に操作者が図１０のように電子カセッテ筐体１００を据置型のスタンドに挿入して使用する場合は、フレーム１を筐体１００から取り外した状態で使用する。操作者は上述のようにロック機構５を操作することでフレーム１を取り外すことが可能である。筐体１００は筐体２００のように内部を保護する構成が無いため、筐体２００と比べて小さく、軽量である。したがって電子カセッテを構成するケースも図１０の場合と比べて小型化可能である。
【００４５】
このように、筐体１００と着脱可能なフレーム１を用意し、フレーム１側に弾性部材２，１９などの衝撃から保護する構成を設けることによって、筐体１００の構成が簡素化し、電子カセッテのそれぞれの使用用途に応じた構成が可能になる。
【００４６】
図３は、本発明の請求項５に係わる構成を表した概要図である。なお、先に説明した図と同一部分には同一符号を付している。
【００４７】
図１の構成と異なる点は、フレーム１の代わりにフレーム２１が構成され、フレーム２１がグリッド２２を着脱可能なことである。フレーム２１は、フレーム１と同様にロック機構５が設けられており、電子カセッテ筐体１００と着脱可能で、筐体１００に取り付けられた状態の時、筐体の表面と側面周囲を覆う形状を成す。フレーム２１の表面にはグリッド２２を取り付ける凹状の枠２３と、撮影可能範囲の中心を示す十字線２４が設けられている。またグリッド２２の表面にも、装着時に利用するために十字線２５が表示されている。操作者がグリッド２２を装着する時は、枠２３の周囲４箇所に設けられた可動フック２６を使用する。フレーム２１に弾性部材２、把手６が構成されている点はフレーム１と同様である。
【００４８】
図４は、図３の電子カセッテの断面図である。なお、先に説明した図と同一部分には同一符号を付している。
【００４９】
フレーム２１の表面は、グリッド２２を装着するために凹形状を成し、凹形状の底面にカーボン板２７と弾性部材２８が構成されている。グリッド２２は可動フック２６とカーボン板２７の間に装着される。可動フック２６は図４の矢印方向に常に力が加わる状態になっており、装着されるとフレーム２１に固定される。なお、フレーム２１の他の構成要素と各々の動作は図２のフレーム１と同様である。
【００５０】
操作者は、グリッド２２をフレーム２１に取り付ける時は、凹状の枠２３にグリッド２２を嵌める。するとグリッド２２は可動フック２６によってフレーム２１に固定される。この状態の時グリッド２２を使用した撮影が可能になり、グリッドを伴う撮影、例えば胸部や腹部の撮影において散乱線を除去したＸ線像を得ることができる。予めフレーム２１にグリッド２２が装着されているため、図８のような状況でグリッドを伴う撮影を行う場合に有効である。グリッド２２をフレーム２１から外す時は、可動フック２６を図４の矢印方向と反対側の、引っ掛けを外す方向に動かしてやれば良い。このように、フレーム２１にグリッド２２を必要に応じて装着できるため、電子カセッテを単独で使用する場合に撮影手法の幅が広がり、且つ良好な画像を得ることができる。
【００５１】
図５は、本発明の請求項７に係わる構成を表した概要図である。なお、先に説明した図と同一部分には同一符号を付している。
【００５２】
図３の構成と異なる点は、フレーム２１の代わりにフレーム２９が構成され、フレーム２９がＸ線遮蔽部材３０を着脱可能なことである。Ｘ線遮蔽部材３０は、筐体１００の裏面からＸ線が入射して内部の蛍光板７が反応し、本来表面から入射したＸ線で形成されるＸ線像に対してコントラストを下げる要因となる成分を除去する目的で構成される。原料としては鉛（Ｐｂ）やタングステン（Ｗ）やモリブデン（Ｍｏ）が使用される。Ｘ線が裏面から入射する状況としては、胸部撮影などで高圧のＸ線が使用される場合や、電子カセッテより広い照射領域でＸ線が照射され、電子カセッテより外側の床面やベッド上で散乱する成分が裏面より入射する場合がある。このようにＸ線遮蔽部材３０は、撮影条件に応じて必要な要素で、したがって図３の構成ではフレーム２９に着脱可能に構成している。またフレーム２９は、フレーム２１と同様にロック機構５が設けられており、電子カセッテ筐体１００と着脱可能で、筐体１００に取り付けられた状態の時、筐体の側面周囲と表面を覆う形状を成す。フレーム２９に弾性部材２、把手６、枠２３、十字線２４、可動フック２６が構成されている点はフレーム２１を同様である。
【００５３】
図６は、図５の電子カセッテの断面図である。なお、先に説明した図と同一部分には同一符号を付している。
【００５４】
フレーム２９の裏面には、可動フック３１が設けられ、Ｘ線遮蔽部材３０は可動フック３１とフレーム２９の間に装着される。可動フック３１は図６の矢印方向に常に力が加わる状態になっており、装着されるとフレーム２９に固定される。なお、フレーム２９の他の構成要素と各々の動作は図４のフレーム２１と同様である。
【００５５】
操作者は、Ｘ線遮蔽部材３０をフレーム２９に取り付ける時は、フレーム２９裏面より可動フック３１で固定する。この状態の時、Ｘ線遮蔽部材３０が必要な撮影が可能になり、例えば胸部撮影において筐体１００の裏面からのＸ線入射を除去し、良好な画像を得ることができる。予めフレーム２９にＸ線遮蔽部材３０が装着されているため、図８のような状況で撮影を行う場合に有効である。Ｘ線遮蔽部材３０をフレーム２９から外す時は、可動フック２６を図４の矢印方向と反対側の、引っ掛けを外す方向に動かしてやれば良い。このように、フレーム２９にグリッド２２、Ｘ線遮蔽部材３０を必要に応じて装着できるため、電子カセッテを単独で使用する場合に撮影手法の幅が広がり、且つ良好な画像を得ることができる。
【００５６】
【発明の効果】
以上説明したように、電子カセッテ筐体と着脱可能なフレームを用意し、フレーム側に衝撃から保護する構成を設けることによって、筐体の構成が簡素化する。したがって据置型のスタンドやテーブルの電子カセッテを構成するためのケースを大型化する必要がなくなり、患者はそれぞれの撮影手法に合致した正しい姿勢で撮影に臨むことができる。また筐体表面にも弾性部材が構成されないため、余分なＸ線を患者に照射しなくても良い。フレーム側では、筐体と分離されたことで、電子カセッテを単独で使用する場合に有効な手段を盛り込むことができる。実施例では、フレームに把手を設けて可搬性を向上させ、また衝撃吸収用の弾性部材表面の摩擦抵抗を低くしてベッドへの挿入の操作性を向上させている。さらに、グリッドやＸ線遮蔽部材を着脱可能に構成することで、電子カセッテを単独で使用する場合に撮影手法の幅が広がり、良好な画像を得ることができる。
【図面の簡単な説明】
【図１】本発明の図１は、請求項１，２，３，４，６、に係わる構成を表した概要図である。
【図２】本発明の請求項１，２，３，４，６、に係わる構成を表した断面図である。
【図３】本発明の請求項５に係わる構成を表した概要図である。
【図４】本発明の請求項５に係わる構成を表した断面図である。
【図５】本発明の請求項７に係わる構成を表した概要図である。
【図６】本発明の請求項７に係わる構成を表した断面図である。
【図７】従来の電子カセッテの構成を表した断面図である。
【図８】従来の電子カセッテの構成を表した概要図である。
【図９】従来の電子カセッテの構成を表した概要図である。
【図１０】従来の電子カセッテの構成を表した断面図である。
【符号の説明】
１  筐体
２  弾性部材
５  ロック機構
６  把手
１９  弾性部材
２１  筐体
２２  グリッド
２６  可動フック
２８  弾性部材
２９  筐体
３０  Ｘ線遮蔽部材
３１  可動フック
【図１】
2005006806.tif 000003
【図２】
2005006806.tif 000004
【図３】
2005006806.tif 000005
【図４】
2005006806.tif 000006
【図５】
2005006806.tif 000007
【図６】
2005006806.tif 000008
【図７】
2005006806.tif 000009
【図８】
2005006806.tif 000010
【図９】
2005006806.tif 000011
【図１０】
2005006806.tif 000012